【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
第１網に接続される第２網を構成する伝送装置と、
前記第２網内で前記伝送装置に接続される少なくとも一つの計算機と、を有する伝送システムであって、
前記計算機は、前記第１網を構成する通信装置に前記第２網を一つの仮想的な通信装置として見せかけるために、前記通信装置から送信される前記第１網の制御情報に対応する処理を実行し、
前記第１網を構成する通信装置に接続される第１伝送装置と前記計算機との間に論理パスが構築され、
前記第１伝送装置は、
前記通信装置に接続される少なくとも一つのポートを有し、
前記通信装置に接続されるポートの識別情報と、当該ポートを介して受信した制御情報を前記計算機に送信するために用いる論理パスを特定するための論理パス識別情報とが対応付けられた管理情報を保持し、
前記管理情報を参照し、前記制御情報を受信したポートに対応する前記論理パス識別情報を特定し、
前記特定した論理パス識別情報を前記制御情報に付与し、前記特定した論理パス識別情報によって特定される論理パスを用いて前記制御情報を送信し、
前記計算機は、
受信した前記制御情報に対応する処理を実行し、
前記制御情報に付与された論理パス識別情報を前記制御情報に対応する応答情報に付与し、前記応答情報を前記第２網に送信し、
前記計算機に接続された第２伝送装置は、受信した応答情報に付与された前記論理パス識別情報によって特定される論理パスを用いて前記応答情報を送信することを特徴とする伝送システム。
【請求項２】
請求項１に記載の伝送システムであって、
前記通信装置のアドレス情報が前記制御情報に付与され、前記制御情報が前記前記通信装置から前記第１伝送装置に送信され、
前記管理情報は、前記ポートの識別情報に対して、前記論理パスの前記第１網内で一意な識別情報である第２網内送信識別情報が前記論理パス識別情報として対応付けられており、
前記第１伝送装置は、
前記制御情報を受信したポートに対応する前記第２網内送信識別情報を前記論理パス識別情報として付与し、前記制御情報を送信し、
前記計算機は、受信した前記制御情報に含まれる前記通信装置のアドレス情報を前記論理パス識別情報として前記応答情報に付与し、前記応答情報を前記第２網に送信し、
前記第２伝送装置は、
前記通信装置のアドレス情報と、当該通信装置のアドレス情報が付与された応答情報の送信に用いる論理パスの一意な識別情報である前記第２網内送信識別情報とが対応付けられた応答情報管理情報を保持し、
前記応答情報管理情報を参照し、前記計算機から受信した応答情報に含まれる前記通信装置のアドレス情報に対応する前記第２網内送信識別情報を特定し、
前記特定した前記第２網内送信識別情報を前記論理パス識別情報として前記応答情報に付与し、前記応答情報を送信することを特徴とする伝送システム。
【請求項３】
請求項２に記載の伝送システムであって、
前記第２伝送装置は、前記第１伝送装置から受信した制御情報に含まれる通信装置のアドレス情報と前記受信した制御情報に付与された前記第２網内送信識別情報とを対応付けて、前記応答情報管理情報に登録することを特徴とする伝送システム。
【請求項４】
請求項１に記載の伝送システムであって、
前記第１伝送装置と前記計算機との間の論理パスは、複数の論理パスによって冗長化され、
前記管理情報は、前記通信装置に接続されるポートの識別情報と、前記論理パス識別情報と、前記論理パス識別情報によって特定される論理パスが現用系か待機系かを示す冗長情報と、の対応付けを含み、
前記第１伝送装置は、
前記管理情報を参照し、前記制御情報を受信したポートに対応し、かつ前記冗長情報が前記現用系を示す論理パス識別情報を特定し、
前記特定した論理パス識別情報を前記制御情報に付与し、前記特定した論理パス識別情報によって特定される論理パスを用いて前記制御情報を送信することを特徴とする伝送システム。
【請求項５】
請求項１に記載の伝送システムであって、
前記少なくとも一つの計算機は複数の計算機であって、
前記第１伝送装置と前記複数の計算機との間に論理パスが構築され、
前記複数の計算機は、前記制御情報の異なるプロトコルの種別に対応する処理を実行し、
前記管理情報は、前記通信装置に接続されるポートの識別情報と、前記制御情報のプロトコルの種別と、前記制御情報のプロトコルの種別に対応する処理を実行する計算機への前記制御情報の送信に用いる論理パスを特定するための前記論理パス識別情報との対応付けを含み、
前記第１伝送装置は、
前記管理情報を参照し、前記制御情報を受信したポートの識別情報に対応し、かつ前記制御情報のプロトコルの種別に対応する論理パス識別情報を特定し、
前記特定した論理パス識別情報を前記制御情報に付与し、前記特定した論理パス識別情報によって特定される論理パスを用いて前記制御情報を送信することを特徴とする伝送システム。
【請求項６】
請求項１に記載の伝送システムであって、
前記少なくとも一つの計算機は第１計算機及び第２計算機であって、
前記第１伝送装置と前記第１計算機との間に第１論理パスが構築され、前記第１伝送装置と前記第２計算機との間に第２論理パスが構築され、
前記管理情報は、前記通信装置に接続されるポートの識別情報と、前記第１論理パスを特定するための第１論理パス識別情報及び前記第２論理パスを特定するための第２論理パス識別情報との対応付けを含み、
前記第１論理パス識別情報及び前記第２論理パス識別情報には、どちらの計算機が現用系か待機系かを示す冗長情報が対応付けられ、
前記第１伝送装置は、
受信した前記制御情報を複数複製し、
前記複製した制御情報の一方に、前記制御情報を受信したポートに対応する第１論理パス識別情報を前記論理パス識別情報として付与し、前記第１論理パスを用いて当該制御情報を送信し、
前記複製した制御情報の他方に、前記制御情報を受信したポートに対応する第２論理パス識別情報を前記論理パス識別情報として付与し、前記第２論理パスを用いて当該制御情報を送信し、
前記第１計算機又は前記第２計算機から応答情報を受信した場合、前記管理情報を参照し、前記受信した応答情報に付与された論理パス識別情報に対応付けられた冗長情報が現用系を示すか待機系を示すかを判定し、
前記冗長情報が待機系を示すと判定された場合、前記受信した応答情報を破棄し、
前記冗長情報が現用系を示すと判定された場合、前記受信した応答情報を前記通信装置に送信することを特徴とする伝送システム。
【請求項７】
請求項１に記載の伝送システムであって、
前記第２網に論理パスを構築する第２網管理装置を備え、
前記第２網管理装置は、
前記第１伝送装置の前記管理情報に登録される情報の入力を受け付け、
前記入力を受け付けた前記管理情報に登録される情報を含む管理情報登録指示として前記第１伝送装置に送信し、
前記第１伝送装置は、前記管理情報登録指示を受信した場合、前記受信した管理情報登録指示に含まれる前記管理情報に登録される情報を前記管理情報として保持することを特徴とする伝送システム。
【請求項８】
請求項１から請求項７のいずれか一つに記載の伝送システムであって、
前記第１網は、ＩＰ／ＭＰＬＳ網又はＩＰ網であって、
前記第２網は、ＭＰＬＳ−ＴＰ網又はＰＢＢ−ＴＥ網であることを特徴とする伝送システム。
【請求項９】
第１網と、伝送装置によって構成される第２網とが接続される伝送システムにおいて、前記第２網内で前記第１網の制御情報を送信する送信方法であって、
前記伝送システムは、前記第２網内で前記伝送装置に接続される少なくとも一つの計算機を有し、
前記計算機は、前記第１網を構成する通信装置に前記第２網を一つの仮想的な通信装置として見せかけるために、前記通信装置から送信される前記第１網の制御情報に対応する処理を実行し、
前記第１網を構成する通信装置に接続される第１伝送装置と前記計算機との間に論理パスが構築され、
前記第１伝送装置は、
前記通信装置に接続される少なくとも一つのポートを有し、
前記通信装置に接続されるポートの識別情報と、当該ポートを介して受信した制御情報を前記計算機に送信するために用いる論理パスを特定するための論理パス識別情報とが対応付けられた管理情報を保持し、
前記方法は、
前記第１伝送装置が、前記管理情報を参照し、前記制御情報を受信したポートに対応する前記論理パス識別情報を特定し、
前記第１伝送装置が、前記特定した論理パス識別情報を前記制御情報に付与し、前記特定した論理パス識別情報によって特定される論理パスを用いて前記制御情報を送信し、
前記計算機が、受信した前記制御情報に対応する処理を実行し、
前記計算機が、前記制御情報に付与された論理パス識別情報を前記制御情報に対応する応答情報に付与し、前記応答情報を前記第２網に送信し、
前記計算機に接続された第２伝送装置が、受信した前記応答情報に付与された前記論理パス識別情報によって特定される論理パスを用いて前記応答情報を送信することを特徴とする送信方法。
【請求項１０】
請求項９に記載の送信方法であって、
前記通信装置のアドレス情報が前記制御情報に付与され、前記制御情報が前記前記通信装置から前記第１伝送装置に送信され、
前記管理情報は、前記ポートの識別情報に対して、前記論理パスの前記第１網内で一意な識別情報である第２網内送信識別情報が前記論理パス識別情報として対応付けられており、
前記第２伝送装置は、前記通信装置のアドレス情報と、当該通信装置のアドレス情報が付与された応答情報の送信に用いる論理パスの一意な識別情報である前記第２網内送信識別情報とが対応付けられた応答情報管理情報を保持し、
前記方法は、
前記第１伝送装置が、前記制御情報を受信した場合、前記制御情報を受信したポートに対応する前記第２網内送信識別情報を前記論理パス識別情報として付与し、前記論理パス識別情報が付与された制御情報を送信し、
前記計算機が、受信した前記制御情報に含まれる前記通信装置のアドレス情報を前記論理パス識別情報として前記応答情報に付与し、前記応答情報を送信し、
前記第２伝送装置が、前記応答情報管理情報を参照し、受信した前記応答情報に含まれる前記通信装置のアドレス情報に対応する前記第２網内送信識別情報を特定し、
前記第２伝送装置が、前記特定した前記第２網内送信識別情報を前記論理パス識別情報として前記応答情報に付与し、前記応答情報を送信することを特徴とする送信方法。
【請求項１１】
請求項１０に記載の送信方法であって、
前記第２伝送装置が、前記第１伝送装置から受信した制御情報に含まれる通信装置のアドレス情報と前記受信した制御情報に付与された前記第２網内送信識別情報とを対応付けて、前記応答情報管理情報に登録することを特徴とする送信方法。
【請求項１２】
請求項９に記載の送信方法であって、
前記第１伝送装置と前記計算機との間の論理パスは、複数の論理パスによって冗長化され、
前記管理情報は、前記通信装置に接続されるポートの識別情報と、前記論理パス識別情報と、前記論理パス識別情報によって特定される論理パスが現用系か待機系かを示す冗長情報との対応付けを含み、
前記方法は、
前記第１伝送装置が、前記管理情報を参照し、前記制御情報を受信したポートに対応し、かつ前記冗長情報が前記現用系を示す論理パス識別情報を特定し、
前記第１伝送装置が、前記特定した論理パス識別情報を前記制御情報に付与し、前記特定した論理パス識別情報によって特定される論理パスを用いて前記制御情報を送信することを特徴とする送信方法。
【請求項１３】
請求項９に記載の送信方法であって、
前記少なくとも一つの計算機は複数の計算機であって、
前記第１伝送装置と前記複数の計算機との間に論理パスが構築され、
前記複数の計算機は、前記制御情報の異なるプロトコルの種別に対応する処理を実行し、
前記管理情報は、前記通信装置に接続されるポートの識別情報と、前記制御情報のプロトコルの種別と、前記制御情報のプロトコルの種別に対応する処理を実行する計算機への前記制御情報の送信に用いる論理パスを特定するための前記論理パス識別情報との対応付けを含み、
前記方法は、
前記第１伝送装置が、前記管理情報を参照し、前記制御情報を受信したポートの識別情報に対応し、かつ前記制御情報のプロトコルの種別に対応する論理パス識別情報を特定し、
前記第１伝送装置が、前記特定した論理パス識別情報を前記制御情報に付与し、前記特定した論理パス識別情報によって特定される論理パスを用いて前記制御情報を送信することを特徴とする送信方法。
【請求項１４】
請求項９に記載の送信方法であって、
前記計算機は第１計算機及び第２計算機であって、
前記第１伝送装置と前記第１計算機との間に第１論理パスが構築され、前記第１伝送装置と前記第２計算機との間に第２論理パスが構築され、
前記管理情報は、前記通信装置に接続されるポートの識別情報と、前記第１論理パスを特定するための第１論理パス識別情報及び前記第２論理パスを特定するための第２論理パス識別情報との対応付けを含み、
前記第１論理パス識別情報及び前記第２論理パス識別情報には、どちらの計算機が現用系か待機系かを示す冗長情報が対応付けられ、
前記方法は、
前記第１伝送装置が、受信した前記制御情報を複数複製し、
前記第１伝送装置が、前記複製した制御情報の一方に、前記制御情報を受信したポートに対応する第１論理パス識別情報を前記論理パス識別情報として付与し、前記第１論理パスを用いて当該制御情報を送信し、
前記第１伝送装置が、前記複製した制御情報の他方に、前記制御情報を受信したポートに対応する第２論理パス識別情報を前記論理パス識別情報として付与し、前記第２論理パスを用いて当該制御情報を送信し、
前記第１伝送装置が、前記第１計算機又は前記第２計算機から応答情報を受信した場合、前記管理情報を参照し、前記受信した応答情報に付与された論理パス識別情報に対応付けられた冗長情報が現用系を示すか待機系を示すかを判定し、
前記冗長情報が待機系を示すと判定された場合、前記受信した応答情報を破棄し、
前記冗長情報が現用系を示すと判定された場合、前記受信した応答情報を前記通信装置に送信することを特徴とする送信方法。
【請求項１５】
第１網に接続される第２網を構成する伝送装置であって、
前記第２網は、前記第２網を一つの仮想的な通信装置として前記第１網を構成する通信装置に見せかけるために、前記通信装置から送信される前記第１網の制御情報に対応する処理を実行する計算機を含み、
前記第１網を構成する通信装置に接続される伝送装置と前記計算機との間に論理パスが構築され、
前記計算機は、受信した制御情報に対応する処理を実行し、前記受信した制御情報に対応する応答情報を前記第２網に送信し、
前記伝送装置は、
前記通信装置に接続可能な少なくとも一つのポートを有し、
前記通信装置に接続されるポートの識別情報と、当該ポートを介して受信した制御情報を前記計算機に送信するために用いる論理パスを特定するための論理パス識別情報とが対応付けられた管理情報を保持し、
前記管理情報を参照し、前記通信装置から前記制御情報を受信したポートに対応する前記論理パス識別情報を特定し、
前記計算機が前記応答情報に前記特定した前記論理パス識別情報を付与して、前記応答情報が当該論理パス識別情報によって特定される論理パスを用いて送信されるように、前記特定した論理パス識別情報を前記制御情報に付与し、前記特定した論理パス識別情報によって特定される論理パスを用いて前記制御情報を送信することを特徴とする伝送装置。
【手続補正２】
【補正対象書類名】明細書
【補正対象項目名】００３４
【補正方法】変更
【補正の内容】
【００３４】
一方、ＩＰ／ＭＰＬＳルータ２００に接続されるＭＰＬＳ−ＴＰ装置１００は、受信したデータにＭＰＬＳラベルが付与されていなければ、受信したデータが制御情報であると判定し、受信した制御情報に対応する処理を仮想ルータ制御サーバ３００に実行させるために、受信した制御情報を仮想ルータ制御サーバ３００に接続されるＭＰＬＳ−ＴＰ装置１００まで、制御情報を受信した物理ポートに対応する論理パスを用いて転送する。この場合、ＭＰＬＳ−ＴＰ装置１００は、受信した制御情報にＩＤ付与処理を実行し、受信した制御情報をＭＰＬＳ−ＴＰ網１０内で転送可能なようにＭＰＬＳ−ＴＰ網内ＩＤを制御情報に付与する。
【手続補正３】
【補正対象書類名】明細書
【補正対象項目名】００６５
【補正方法】変更
【補正の内容】
【００６５】
ここで、仮想ポートＶＰ１はＭＰＬＳ−ＴＰ装置１００Ａのインタフェースカード１２０Ａが有する物理ポートＮＰ１に対応付けられているものとする。このため、ＭＰＬＳ−ＴＰ装置１００Ａは、インタフェースカード１２０Ａが有する物理ポートＮＰ１を介して、ＩＰ／ＭＰＬＳルータ２００Ａから送信された制御情報を受信する。
【手続補正４】
【補正対象書類名】明細書
【補正対象項目名】０１４０
【補正方法】変更
【補正の内容】
【０１４０】
以下の説明では、実施例１に示す伝送システムに実施例３を適用した場合について説明する。なお、実施例２に示す伝送システムに実施例３を適用した場合については、後に説明する。
【手続補正５】
【補正対象書類名】明細書
【補正対象項目名】０１７７
【補正方法】変更
【補正の内容】
【０１７７】
次に、本変形例の応答情報ＩＤ付与処理（９０５）について図１１を用いて説明する。本変形例の応答情報ＩＤ付与処理は、図１１に示すステップ１１０３の処理が異なる。具体的には、入力時ＩＤ付与処理部１３１は、受信した応答情報のルータアドレスに対応するルータアドレス管理テーブル８００のエントリのうち、冗長情報１５０１に現用系を示す情報が登録されたエントリを特定する。そして、入力時ＩＤ付与処理部１３１は、受信した応答情報のルータ側ＩＤに、特定したエントリのＭＰＬＳ−ＴＰ網内ＩＤ３０５に登録されたＭＰＬＳ−ＴＰ網内ＩＤを付与し、ステップ１１０４の処理に進む。
【手続補正６】
【補正対象書類名】明細書
【補正対象項目名】０１９０
【補正方法】変更
【補正の内容】
【０１９０】
実施例４の入力時ＩＤ付与処理について、図７を用いて説明する。実施例４の入力時ＩＤ付与処理は、図７に示す入力時ＩＤ付与処理とステップ７０３の処理が異なる。
【手続補正７】
【補正対象書類名】明細書
【補正対象項目名】０２２３
【補正方法】変更
【補正の内容】
【０２２３】
ＭＰＬＳ−ＴＰ網内ＩＤ８０２には、応答情報の送信に用いる論理パスを特定可能なＭＰＬＳ−ＴＰ網内ＩＤが登録される。サーバ冗長情報２００１には、ＭＰＬＳ−ＴＰ網内ＩＤ８０２に登録されたＭＰＬＳ−ＴＰ網内ＩＤによって特定される論理パスを用いて転送する応答情報の送信元の仮想ルータ制御サーバが現用系に設定されているか待機系に設定されているかを示す情報（サーバ冗長情報）が登録される。